(57)【要約】【課題】レーザダイオードの放熱を促進する熱伝導部材をとりつけ、容易に効率良くレーザダイオードの発熱を放熱し、レーザダイオードの性能維持と長寿命化を図る。【解決手段】レーザダイオードのステム上面を、調整を開始する前にＸＺ平面に平行にしておき、Ｚ軸回りの回転方向は調整しないことからステム上面はＸ軸方向には傾かないことを利用して、コの字形状の熱伝導部材の中央部の面とレーザダイオードのステム上面を面接触させ、熱伝導部材の両側の立上がり部の面をそれぞれ光学ベースの２ヶ所の突部の側面に面接触させることによって、レーザダイオードの熱を効率よく光学ベースへ伝熱することが可能となる。【選択図】  図４
2008192186.tif 000002
【特許請求の範囲】
【請求項１】
レーザ光を出射するレーザダイオードと、
前記レーザダイオードを固定するとともに、前記レーザダイオードの近辺の両側にレー
ザダイオードを挟むように配置された前記レーザ光の光軸に略平行な２個の側面を有する
ベースと、
略板状の中央部と前記中央部の両側に前記中央部に対して略垂直な略板状の立上がり部
を備えたコの字形状を成し、前記中央部が前記レーザダイオードのステム部と面接触し、
両側の前記立上がり部が前記ベースの前記２個の側面と面接触する熱伝導部材と
を有することを特徴とする光ピックアップ装置。
【請求項２】
前記ベースの前記２個の側面の間隔と前記熱伝導部材の両側の立上がり部の間隔が略等
しいことを特徴とする請求項１記載の光ピックアップ装置。
【請求項３】
前記熱伝導部材は、金属であることを特徴とする請求項１記載の光ピックアップ装置。
【請求項４】
レーザ光を出射するレーザダイオードと、
前記レーザダイオードを固定するとともに、前記レーザダイオードの近辺の片側に前記
レーザ光の光軸に略平行な側面を有するベースと、
略板状の底部と前記底部に対して略垂直な略板状の立上がり部を備えたＬ字形状を成し
、前記底部が前記レーザダイオードのステム部と面接触し、前記立上がり部が前記ベース
の前記側面と面接触する熱伝導部材と
を有することを特徴とする光ピックアップ装置。
【請求項５】
前記熱伝導部材は、金属であることを特徴とする請求項４記載の光ピックアップ装置。
【請求項６】
レーザ光を出射するレーザダイオードと、
前記レーザダイオードを固定するとともに、前記レーザダイオードの近辺の両側にレー
ザダイオードを挟むように配置された前記レーザ光の光軸に略平行な２個の側面を有する
ベースと、
略板状の中央部と前記中央部の両側に前記中央部に対して略垂直な略板状の立上がり部
を備えたコの字形状を成し、前記中央部が前記レーザダイオードのステム部と面接触し、
両側の前記立上がり部が前記ベースの前記２個の側面と面接触する熱伝導部材と
を有する光ピックアップ装置を搭載したことを特徴とするディスク装置。
【請求項７】
前記ベースの前記２個の側面の間隔と前記熱伝導部材の両側の立上がり部の間隔が略等
しいことを特徴とする請求項６記載の光ディスク装置。
【請求項８】
前記熱伝導部材は、金属であることを特徴とする請求項６記載の光ディスク装置。
【請求項９】
レーザ光を出射するレーザダイオードと、
前記レーザダイオードを固定するとともに、前記レーザダイオードの近辺の片側に前記
レーザ光の光軸に略平行な側面を有するベースと、
略板状の底部と前記底部に対して略垂直な略板状の立上がり部を備えたＬ字形状を成し
、前記底部が前記レーザダイオードのステム部と面接触し、前記立上がり部が前記ベース
の前記側面と面接触する熱伝導部材と
を有する光ピックアップ装置を搭載したことを特徴とするディスク装置。
【請求項１０】
前記熱伝導部材は、金属であることを特徴とする請求項９記載の光ディスク装置。
【発明の詳細な説明】
【技術分野】
【０００１】
本発明は、光ディスクの情報記録面にレーザ光を集光させて情報を記録または再生する
ための光ピックアップ装置及びそれを備えた光ディスク装置に関する。
【背景技術】
【０００２】
近年、情報記録媒体として光ディスクを使用し、音声信号や映像信号等の情報を高密度
に記録したり、またそれを再生する光ディスク装置が普及している。このような光ディス
ク装置にあっては、光ディスクの情報記録面にレーザ光を集光させて光スポットを形成し
、かつ情報記録面からの反射光を受光するための光ピックアップ装置が用いられている。
【０００３】
図１８は光ピックアップ装置の光学ベースに対するレーザダイオードの調整方向を示す
図である。図１８に示すように、レーザダイオード１０１は、光学ベース１０２に固定す
る際、Ｘ軸（出射するレーザ光方向（光軸方向）に垂直かつ光ディスクと平行な軸）、Ｙ
軸（出射するレーザ光方向（光軸方向）に垂直かつ光ディスクに垂直な軸）、Ｚ軸（出射
するレーザ光方向（光軸方向））の３方向の並進移動と、ラジアル方向（Ｙ軸回りの回転
方向）、タンジェンシャル方向（Ｘ軸回りの回転方向）の２方向の回転移動をさせ、光軸
位置及び光量分布の大きさをモニターしながら上記５方向の位置を調整し、紫外線硬化型
の接着剤等を用いて、光学ベース１０２に中空固定される。一部点接触あるいは線接触は
あり得る。
【０００４】
レーザダイオード１０１は、レーザ光の照射によって発熱する。光ディスクにデータを
記録するときには、大きなレーザパワーを必要とするため発熱量が大きくなる。レーザダ
イオードは１０１は、熱によりレーザ光の波長が変化したり、また寿命の低下を招く虞が
ある。このため効率よく放熱することが必要となる。
【０００５】
放熱するためには、熱伝導率の大きな部品をレーザダイオードに接触させることが考え
られる。熱伝導率は、例えば、空気は０．０２４［Ｗ／ｍ＊Ｋ］、紫外線硬化型の接着剤
は０．２〜０．３［Ｗ／ｍ＊Ｋ］、放熱グリスは１〜３［Ｗ／ｍ＊Ｋ］である。これに比
較してアルミニウムは２４０［Ｗ／ｍ＊Ｋ］、銅は３９０［Ｗ／ｍ＊Ｋ］と大きな熱伝導
率を有している。従ってレーザダイオードに金属を接触させて、放熱することが望ましい
。
【０００６】
例えば、特許文献１には、レーザダイオードの後部を覆うようにアルミ等の金属製のホ
ルダをレーザダイオードに取り付け、そのホルダの一部を光学ベースに接着する方法が記
載されている。
【特許文献１】特開２００５−１０８３００号公報
【発明の開示】
【発明が解決しようとする課題】
【０００７】
しかしながら、上述したように、レーザダイオード１０１は、位置調整される際、光学
ベース１０２に対してラジアル方向とタンジェンシャル方向の回転移動があるため、レー
ザダイオード１０１、前記ホルダ、光学ベース１０２の３つの部品の内、少なくとも１つ
の部品は他の２部品と点接触かまたは線接触となり、十分な熱伝導は得られない。３つの
部品の接触を面接触にしようとすれば、いずれかの部品に外力を加えることとなり、レー
ザダイオード１０１の光学ベース１０２に対する調整位置が時間の経過と共にずれる虞が
ある。
【０００８】
光学ベース１０２に対して、５方向に亘り位置調整されて中空固定されたレーザダイオ
ード１０１に外力を加えることなく、レーザダイオード１０１と光学ベース１０２を金属
によってそれぞれ面接触させ、レーザダイオード１０１の発熱を効率よく放熱することが
望まれている。
【０００９】
本発明は上記したような事情に鑑み成されたものであって、光学ベースに対して正確な
位置にレーザダイオードを取り付けた後で、適切な位置にレーザダイオードの放熱を促進
する熱伝導部材をとりつけ、容易に効率良くレーザダイオードの発熱を放熱し、レーザダ
イオードの性能維持と長寿命化を図ることができる光ピックアップ装置とそれを備えた光
ディスク装置を提供することを目的とする。
【課題を解決するための手段】
【００１０】
上記目的を達成するために、本発明の光ピックアップ装置は、レーザ光を出射するレー
ザダイオードと、前記レーザダイオードを固定するとともに、前記レーザダイオードの近
辺の両側にレーザダイオードを挟むように配置された前記レーザ光の光軸に略平行な２個
の側面を有するベースと、略板状の中央部と前記中央部の両側に前記中央部に対して略垂
直な略板状の立上がり部を備えたコの字形状を成し、前記中央部が前記レーザダイオード
のステム部と面接触し、両側の前記立上がり部が前記ベースの前記２個の側面と面接触す
る熱伝導部材とを有することを特徴とする。
【００１１】
また、本発明の光ディスク装置は、レーザ光を出射するレーザダイオードと、前記レー
ザダイオードを固定するとともに、前記レーザダイオードの近辺の両側にレーザダイオー
ドを挟むように配置された前記レーザ光の光軸に略平行な２個の側面を有するベースと、
略板状の中央部と前記中央部の両側に前記中央部に対して略垂直な略板状の立上がり部を
備えたコの字形状を成し、前記中央部が前記レーザダイオードのステム部と面接触し、両
側の前記立上がり部が前記ベースの前記２個の側面と面接触する熱伝導部材とを有する光
ピックアップ装置を搭載したことを特徴とする。
【発明の効果】
【００１２】
本発明によれば、光学ベースに対して正確な位置にレーザダイオードを取り付けた後で
、レーザダイオードとの接触面を備えた効率の良い伝熱経路を構成することによって光学
性能を犠牲にすることなく放熱性能を確保し、レーザダイオードの特性および寿命を向上
させることができる。
【発明を実施するための最良の形態】
【００１３】
以下本発明の実施例について図面を参照しながら説明する。
【実施例１】
【００１４】
図１は本発明の実施の形態に係る光ディスク装置の構成を示す図である。光ディスク２
の情報記録面には、スパイラル状にランドトラックおよびグルーブトラックが形成されて
いる。光ディスク２としては、ＤＶＤ−Ｒ、ＤＶＤ−ＲＷ等がある。光ディスク２はスピ
ンドルモータ３によって回転駆動される。
【００１５】
光ディスク２に対する情報の記録・再生は、光ピックアップ装置５（図中左側の破線で
囲んだ部分）によって行われる。光ピックアップ装置５は、スレッドモータ６とギア８を
介して連結されており、このスレッドモータ６はスレッドモータ制御回路９により制御さ
れる。
【００１６】
スレッドモータ６の下部に位置する速度検出器７は、光ピックアップの移動速度を検出
するものであり、スレッドモータ制御回路９に接続されている。速度検出器７により検出
される光ピックアップ装置５の速度信号がスレッドモータ制御回路９に送られる。スレッ
ドモータ６の固定部に、図示しない永久磁石を設けており、駆動コイルがスレッドモータ
制御回路９によって励磁されることにより、光ピックアップ装置５が光ディスク２の半径
方向に駆動する。
【００１７】
光ピックアップ装置５には、図示しない例えばワイヤあるいは板バネによって支持され
た対物レンズ１０が設けられる。対物レンズ１０は、フォーカシングコイル１１、トラッ
キングコイル１２の駆動によりフォーカシング方向（レンズの光軸方向）およびトラッキ
ング方向（レンズの光軸と直交する方向）への移動が可能である。
【００１８】
変調回路１４は、光ディスク２への情報記録する場合、ホスト装置３３からインターフ
ェース回路３２およびバス２７を介して記録する情報信号を受け、これを光ディスク２の
規格に定められた変調方式（例えば８−１６変調）にて変調する。レーザ制御回路１３は
、光ディスク２への情報記録時（マーク形成時）に、変調回路１４から供給される変調デ
ータに基づいて書込み用信号をレーザダイオード１５に供給する。レーザ制御回路１３は
、情報再生時には書込み用信号より小さい読取り用信号をレーザダイオード１５に供給す
る。
【００１９】
レーザダイオード１５は、レーザ制御回路１３から供給される信号に応じてレーザ光を
発生する。レーザダイオード１５から発せられるレーザ光は、コリメータレンズ１８、ハ
ーフプリズム１９、対物レンズ１０を介して光ディスク２上に照射される。光ディスク２
からの反射光は、対物レンズ１０、ハーフプリズム１９、集光レンズ２０、シリンドリカ
ルレンズ２１を介して光検出器２２に導かれる。
【００２０】
光検出器２２は、例えば４分割の光検出セル２２ａ〜２２ｄから構成されている。光検
出器２２の各光検出セル２２ａ〜２２ｄの出力信号は信号処理回路２３に供給され、以下
のような信号処理が施される。各光検出セル２２ａ〜２２ｄの出力信号は電流／電圧変換
用のアンプを介して、加算・減算され、再生信号、フォーカスエラー信号ＦＥ、トラッキ
ングエラー信号ＴＥが得られる。
【００２１】
フォーカスエラー信号ＦＥはフォーカシング制御回路２４に供給され、フォーカシング
駆動信号が発生される。フォーカシング制御回路２４から出力されたフォーカシング駆動
信号はフォーカシングコイル１１に供給され、レーザ光が光ディスク２の記録面上に常時
ジャストフォーカスとなるように対物レンズ１０のフォーカシング制御が行われる。
【００２２】
トラッキングエラー信号ＴＥはトラッキング制御回路２５に供給され、トラッキング駆
動信号が発生される。トラッキング制御回路２５から出力されたトラッキング駆動信号は
トラッキングコイル１２に供給され、レーザ光が光ディスク２の記録面の目的トラック上
に常時位置するように対物レンズ１０のトラッキング制御が行われる。トラッキング駆動
信号はスレッドモータ制御回路９にも供給される。
【００２３】
再生信号はデータ再生回路２６に供給される。データ再生回路２６は、ＰＬＬ回路１６
からの再生用クロック信号に基づき、読み出された記録データを再生する。さらにデータ
再生回路２６は、信号ＲＦの振幅を測定する測定機能を有し、その測定値は、バス２７を
介してＣＰＵ２８に出力される。
【００２４】
スレッドモータ制御回路９は、スレッドモータ６を制御し、対物レンズ１０が光ピック
アップ装置５内の中心位置近傍に位置するように光ピックアップ装置５の本体を移動させ
る。
【００２５】
ディスクモータ制御回路４、スレッドモータ制御回路９、変調回路１４、レーザ制御回
路１３、ＰＬＬ回路１６、データ再生回路２６、フォーカシング制御回路２４、トラッキ
ング制御回路２５等は、１つのＬＳＩチップ内に構成することができ、これら回路は、バ
ス２７を介してＣＰＵ（Central Processing Unit）２８によって制御される。ＣＰＵ２
８は、インターフェース回路３２を介してホスト装置３３から供給される動作コマンドに
従って、この光ディスク記録再生装置を総合的に制御する。ＣＰＵ２８は、ＲＡＭ２９を
作業エリアとして使用し、ＲＯＭ３０に記録されたこの発明の実施に係る処理を含むプロ
グラムに従って、所定の制御を行う。
【００２６】
図２は、光ピックアップ装置５の光学ベース４０に対するレーザダイオード１５の調整
方向を示す図である。光学ベース４０には、コリメータレンズ１８、ハーフプリズム１９
、対物レンズ１０が配置されており、レーザダイオード１５から発せられるレーザ光は、
コリメータレンズ１８、ハーフプリズム１９、対物レンズ１０を介して光ディスク２上に
照射される。
【００２７】
レーザダイオード１５の調整方向は、Ｘ軸（出射するレーザ光方向（光軸方向）に垂直
かつ光ディスクと平行な軸）、Ｙ軸（出射するレーザ光方向（光軸方向）に垂直かつ光デ
ィスクに垂直な軸）、Ｚ軸（出射するレーザ光方向（光軸方向））の並進移動の３方向と
、ラジアル方向（Ｙ軸回りの回転方向）、タンジェンシャル方向（Ｘ軸回りの回転方向）
の回転移動の２方向がある。Ｘ軸方向とＹ軸方向の並進移動は主に光学ベース４０内の光
学系の光軸とレーザダイオード１５の発光点を合わせる光軸調整である。Ｚ軸方向の並進
移動は主にレーザ光のフォーカス調整である。ラジアル方向とタンジェンシャル方向は主
にレーザ光の強度分布の最適位置を調整するものである。Ｚ軸回りの回転方向は調整しな
い。
【００２８】
レーザダイオード１５のステム１５ａのステム上面１５ｂ（光ディスクに対向する側の
面）を、調整を開始する前にＸＺ平面に平行にしておくと、Ｚ軸回りの回転方向は調整し
ないため、ステム上面１５ｂはＸ軸方向には傾かない。タンジェンシャ方向の回転によっ
てＺ軸方向に対して傾きを持ち、またラジアル方向の回転ではステム上面１５ｂは同一平
面内で回転するだけであり、Ｘ方向には傾かない。
【００２９】
レーザダイオード１５は光軸位置及び光量分布の大きさをモニターしながら上記５方向
の位置を調整し、紫外線硬化型の接着剤等を用いて、光学ベース４０に対して中空固定さ
れる。光学ベース４０から、例えば、図２に示すような突部４１、４２が設置されており
、突部４１、４２のレーザダイオード１５側の側面４１ａ、４２ａの間隔は、レーザダイ
オード１５のＸ軸方向の長さと調整における可動範囲を合計した間隔に設定されており、
この間隔の範囲でレーザダイオード１５が位置調整され、紫外線硬化型の接着剤がレーザ
ダイオード１５と側面４１ａ、４１ｂの間に充填され硬化、接着される。
【００３０】
図３は、熱伝導部材４３、光学ベース４０およびレーザダイオード１５を示した図であ
る。熱伝導部材１５が光学ベース４０に装着される前の状態を表している。熱伝導部材４
３は略板状の中央部４３ａと中央部４３ａの両側に中央部４３ａに対して略垂直な略板状
の立上がり部４３ｂと４３ｃを備えたコの字形状を成している。例えば、図３に示すよう
な長方形の板を２箇所で折り曲げた形状である。熱伝導部材４３は、熱伝導率の大きい金
属が望ましい。例えばに銅板を折り曲げて製作すれば、熱伝導率が大きく、製作コストを
小さくすることが可能である。またはアルミダイカストや亜鉛ダイカストで製作してもよ
い。熱伝導部材４３の立上がり部４３ｂと４３ｃのコの字の内側面４３ｂ１、４３ｃ１の
間隔をＷ２で表す。
【００３１】
光学ベース４０には、レーザダイオード１５の近辺の両側にレーザダイオード１５を挟
むように配置されたレーザ光の光軸に略平行な２個の側面が備えられている。例えば図３
に示すように突部４１のレーザダイオード１５と反対側の側面４１ｂと突部４２のレーザ
ダイオード１５と反対側の側面４２ｂであり、ＹＺ平面に略平行な面である。側面４１ｂ
と側面４２ｂの間隔をＷ１で表す。Ｗ２はＷ１より僅かに大きい長さである。例えば、一
般的なすきまばめ程度の寸法公差にしておけばよい。
【００３２】
図４は、熱伝導部材１５が光学ベース４０に装着された状態を示す図である。この状態
は、熱伝導部材４３の中央部４３ａのコの字の内側の面４３ａ１とレーザダイオード１５
のステム上面１５ｂが面接触し、熱伝導部材４３の両側の立上がり部４３ｂ、４３ｃのコ
の字の内側の面４３ｂ１と面４３ｃ１がそれぞれ突部４１の側面４１ｂと突部４２の側面
４２ｂに面接触している。ステム上面１５ｂはＸ軸方向に傾きを持たないため、熱伝導部
材４３の面４３ａ１とステム上面１５ｂは略完全に面接触することが可能である。図４は
レーザダイオード１５が殆どタンジェンシャ方向の回転が無い状態、つまりステム上面１
５ｂがＺ軸方向にあまり傾いていない状態を示している。
【００３３】
図５は、図４の状態をレーザダイオード１５のリード端子面側から見た図である。熱伝
導部材４３の面４３ａ１とステム上面１５ｂ、熱伝導部材４３の面４３ｂ１と光学ベース
４０の側面４１ｂ、熱伝導部材４３の面４３ｃ１と光学ベース４０の側面４２ｂがそれぞ
れ面接触している状態を示している。レーザダイオード１５は、ステム１５ａの側面と突
部４１の側面４１ａ、突部４２の側面４２ａが接着剤で充填され中空固定されている。
【００３４】
図６は、レーザダイオード１５がタンジェンシャ方向に回転した状態、ステム上面１５
ｂがＺ軸方向に傾いている状態を強調して示した図である。この場合でもステム上面１５
ｂはＸ軸方向に傾きを持たない。
【００３５】
図７は、図６の状態で熱伝導部材１５が光学ベース４０に装着された状態を示す図であ
る。この状態においても、熱伝導部材４３の面４３ａ１とステム上面１５ｂ、熱伝導部材
４３の面４３ｂ１と光学ベース４０の側面４１ｂ、熱伝導部材４３の面４３ｃ１と光学ベ
ース４０の側面４２ｂがそれぞれ面接触している。
【００３６】
以上のように、レーザダイオード１５のステム上面１５ｂを、調整を開始する前にＸＺ
平面に平行にしておき、Ｚ軸回りの回転方向は調整しないことからステム上面１５ｂはＸ
軸方向には傾かないことを利用して、コの字形状の熱伝導部材４３の中央部４３ａの面４
３ａ１とレーザダイオード１５のステム上面１５ｂを面接触させ、熱伝導部材４３の両側
の立上がり部４３ｂ、４３ｃの面４３ｂ１と面４３ｃ１をそれぞれ突部４１の側面４１ｂ
と突部４２の側面４２ｂを面接触させることによって、レーザダイオード１５の熱を効率
よく光学ベースへ伝熱することが可能となる。また熱伝導部材４３自体による放熱もある
ため大きな放熱効果が得られる。
【００３７】
なお、熱伝導部材４３のコの字型の両側の立上がり部４３ｂ、４３ｃの内側の面と突部
４１のレーザダイオード１５と反対側の側面４１ｂと突部４２のレーザダイオード１５と
反対側の側面４２ｂを面接触する例を示したが、熱伝導部材４３のコの字型の両側の立上
がり部４３ｂ、４３ｃの外側の面４３ｂ２、４３ｃ２が光学ベース４０の一部と接触する
ようにすることも可能である。その場合には、突部４１、４２とは別に突部を設置し、レ
ーザダイオードの両側にレーザダイオードを挟むように配置された前記レーザ光の光軸に
略平行な２個の側面を設置するようにすればよい。またはＺ軸方向において接着剤の塗布
位置を避けるようにして４１ａ、４２ａ面と接触させることも考えられる。
【００３８】
図８は、レーザダイオード４５のステム部４５ｂが円環状である場合を示した図である
。このような場合は、別部品であるホルダ４６を装着することによって、上述したステム
上面１５ｂと同様な面を設置することが可能となる。ホルダ４６によって、レーザ光を出
射する方向に平行な平面をレーザダイオード４５に付加する。図９は、レーザダイオード
４５にホルダ４６を装着した図である。こうすることによってステム上面１５ｂと同様の
機能を有する面４６ｂを構成することが可能となる。ホルダの平面が、熱伝導部材４３の
中央部４３ａの面４３ａ１と密着して面接触が可能となるように適宜形状を決めればよい
。
【００３９】
図１０、図１１はホルダの別の形状の例を示した図である。このようにレーザダイオー
ドがどのような形状をしていてもレーザダイオードに適当な形状のホルダを追加すること
によって、ステム上面１５ｂと同様の機能を有する平面を設定することが可能であり、上
述した熱伝導部材４３を適用することができる。ホルダは放熱の効率を向上させるため金
属であることが望ましい。また、レーザダイオード４５に密着して固定され、密着面積が
大きいことが望ましい。特に発熱する部分に近い位置で密着させると放熱効果が大きくな
る。
【００４０】
次に薄型の光ディスク装置用の光ピックアップ装置５０に上述したコの字型の熱伝導部
材を適用した例を説明する。図１２は、薄型の光ディスク装置用の光ピックアップ装置５
０を示した平面図である。図１２は光ディスク側から見た図であり、光ピックアップ装置
５０のほぼ中央に対物レンズ５１が設置されている。光学ベース５２の一部に凹部５３が
形成され、その凹部５３の中にレーザダイオード５４が中空固定されている。レーザダイ
オード５４にはホルダ５５が装着されている。
【００４１】
図１３は光ピックアップ装置５０を光ディスク側と反対側から見た平面図である。この
光ピックアップ装置５０においては、熱伝導部材５６は、光ディスクと反対側の面に設置
されている。図３から図７では、熱伝導部材４３は、レーザダイオード１５のステム上面
１５ｂと面接触するように構成されていたが、このように熱伝導部材は５６はレーザダイ
オード５４、ホルダ５５の光ディスクとは反対側の接触面と接するように構成してもよい
。
【００４２】
図１４は、レーザダイオード５４にホルダ５５を装着した斜視図である。このレーザダ
イオード５４は円環形状ではなく、略直方体の形状をしている。ホルダ５５は熱伝導部材
５６と面接触が可能となる形状に設定されている。このようにレーザダイオードが略直方
体形状であっても、金属材料のホルダ５５を装着することによって適当な接触面を確保す
ることが可能となる。
【００４３】
図１５は、熱伝導部材５６の斜視図である。平面が３個連なったコの字形状である。こ
の熱伝導部材５６は銅板をプレスで打ち抜いた後折り曲げ加工により作られている。中央
部の面５６ａがホルダ５５と面接触し、立上がり部５６ｂと５６ｃの面が光学ベースに面
接触するように構成されている。
【００４４】
図１６は、光ピックアップ装置５０の熱伝導部材５６の付近の拡大斜視図である。光学
ベース５２のレーザダイオード５４の近辺の両側にレーザダイオードを挟むように配置さ
れたレーザ光の光軸に略平行な２個の側面５７ａ、５７ｂが形成されている。この側面５
７ａと熱伝導部材５６の立上がり部５６ｂの面が面接触し、側面５７ｂと熱伝導部材５６
の立上がり部５６ｃの面が面接触するように構成されている。
【実施例２】
【００４５】
図１７は、本発明の実施例２に係る熱伝導部材４８を示す図である。この実施例２が実
施例１と異なる点は、熱伝導部材の形状が実施例１ではコの字形状であったものを実施例
２ではＬ字形状としていることである。
【００４６】
熱伝導部材４８は、略板状の底部４８ａと該底部４８ａに対して略垂直な略板状の立上
がり部４８ｂを備えたＬ字形状をしている。例えば、図１７に示すような長方形の板を１
箇所で折り曲げた形状である。底部４８ａのＬ字形状の内側の面４８ａ１がレーザダイオ
ード１５のステム部１５ａのステム上面１５ｂと面接触し、立上がり部４８ｂが光学ベー
ス４０のレーザダイオード１５の近辺の片側にレーザ光の光軸に略平行な側面４１ａまた
は４１ｂ、または４２ａ、または４２ｂと面接触する。
【００４７】
Ｌ字形状の熱伝導部材４８は、コの字形状の熱伝導部材４３に比べて設置が簡単である
。コの字形状は、面接触を達成するために、立上がり部の間隔Ｗ２の精度が重要であるが
、Ｌ字形状は、立上がり部の面４８ｂ１、または４８ｂ２を光学ベースの側面に突き当て
ればよいので、Ｘ軸方向の設置の自由度がある。但しＬ字形状の熱伝導部材４８は、コの
字形状の熱伝導部材４３に比べて熱伝導の性能が低下する。コの字型またはＬ字型は放熱
効率と設置性の兼ね合いでどちらを使うか決めればよい。
【００４８】
以上のように、光学ベースに対して正確な位置にレーザダイオードを取り付けた後で、
レーザダイオードとの接触面を備えた効率の良い伝熱経路を構成することによって光学性
能を犠牲にすることなく放熱性能を確保し、レーザダイオードの特性および寿命を向上さ
せることができる。
【図面の簡単な説明】
【００４９】
【図１】本発明の実施の形態に係る情報記録装置としての光ディスク装置の構成を示す図。
【図２】光ピックアップ装置の光学ベースに対するレーザダイオードの調整方向を示す図。
【図３】熱伝導部材、光学ベースおよびレーザダイオードを示した図。
【図４】熱伝導部材が光学ベースに装着された状態を示す図。
【図５】図４の状態をレーザダイオードのリード端子面側から見た図。
【図６】レーザダイオードがタンジェンシャ方向に回転した状態示した図。
【図７】図６の状態で熱伝導部材が光学ベースに装着された状態を示す図。
【図８】レーザダイオードのステム部が円環状である場合を示した図。
【図９】レーザダイオードにホルダを装着した図。
【図１０】ホルダの別の形状の例を示した図。
【図１１】レーザダイオードに別の形状のホルダを装着した図。
【図１２】薄型の光ディスク装置用の光ピックアップ装置を示した平面図。
【図１３】光ピックアップ装置を光ディスク側と反対側から見た平面図。
【図１４】レーザダイオードにホルダを装着した斜視図。
【図１５】熱伝導部材の斜視図。
【図１６】光ピックアップ装置の熱伝導部材の付近の拡大斜視図。
【図１７】本発明の実施例２に係る熱伝導部材を示す図。
【図１８】光ピックアップ装置の光学ベースに対するレーザダイオードの調整方向を示す図
【符号の説明】
【００５０】
１  光ディスク装置
２  光ディスク
５  光ピックアップ装置
１０  対物レンズ
１５  レーザダイオード
１５ａ  ステム
１５ｂ  ステム上面
１８  コリメータレンズ
１９  ハーフプリズム
４０  光学ベース
４１  突部
４１ａ、４１ｂ  側面
４２  突部
４２ａ、４２ｂ  側面
４３  熱伝導部材
４３ａ  中央部
４３ｂ、４３ｃ  立上がり部
４５  レーザダイオード
４６  ホルダ
４７  ホルダ
４８  熱伝導部材
５０  光ピックアップ装置
５１  対物レンズ
５２  光学ベース
５４  レーザダイオード
５５  ホルダ
５６  熱伝導部材
１０１  レーザダイオード
１０２  光学ベース
１０３  光ディスク
【図１】
2008192186.tif 000003
【図２】
2008192186.tif 000004
【図３】
2008192186.tif 000005
【図４】
2008192186.tif 000006
【図５】
2008192186.tif 000007
【図６】
2008192186.tif 000008
【図７】
2008192186.tif 000009
【図８】
2008192186.tif 000010
【図９】
2008192186.tif 000011
【図１０】
2008192186.tif 000012
【図１１】
2008192186.tif 000013
【図１２】
2008192186.tif 000014
【図１３】
2008192186.tif 000015
【図１４】
2008192186.tif 000016
【図１５】
2008192186.tif 000017
【図１６】
2008192186.tif 000018
【図１７】
2008192186.tif 000019
【図１８】
2008192186.tif 000020